(57)【要約】【課題】画面ロック状態の解除から所望のアプリを起動するまでの操作の手間を軽減可能な操作処理装置を提供すること。【解決手段】ディスプレイにタッチパネルが重ねて配置された端末に設けられた操作処理装置は、端末がロック状態であるとき、ロック状態を解除するためのタッチパネルに対する有効な操作を判別する操作判別部と、操作判別部が判別したタッチパネルに対する有効な操作の操作情報に基づいて、当該操作に対応するアプリケーションの登録の有無を判断する動作判断部と、タッチパネルに対する有効な操作に対応するアプリケーションが登録されていれば、当該登録されているアプリケーションを起動するよう指示する登録アプリ起動指示部と、登録アプリ起動指示部から指示されたアプリケーションを起動するアプリ起動部と、を備える。【選択図】図１
2013232118.tif 000002
【特許請求の範囲】
【請求項１】
ディスプレイにタッチパネルが重ねて配置された端末に設けられた操作処理装置であって、
前記端末がロック状態であるとき、前記ロック状態を解除するための前記タッチパネルに対する有効な操作を判別する操作判別部と、
前記操作判別部が判別した前記タッチパネルに対する有効な操作の操作情報に基づいて、当該操作に対応するアプリケーションの登録の有無を判断する動作判断部と、
前記タッチパネルに対する有効な操作に対応するアプリケーションが登録されていれば、当該登録されているアプリケーションを起動するよう指示する登録アプリ起動指示部と、
前記登録アプリ起動指示部から指示されたアプリケーションを起動するアプリ起動部と、
を備えたことを特徴とする操作処理装置。
【請求項２】
請求項１に記載の操作処理装置であって、
前記操作判別部が判別した前記タッチパネルに対する有効な操作の操作情報と、当該操作が行われる際の操作体と前記タッチパネルの接触面積を示す時系列の接触情報と、に基づいて、前記タッチパネルに対して行われた操作が右手で行われたか左手で行われたかを判定する操作手判定部を備えたことを特徴とする操作処理装置。
【請求項３】
請求項２に記載の操作処理装置であって、
前記アプリ起動部は、前記ディスプレイに表示する前記アプリケーションの入力インタフェースを、前記操作手判定部による判定結果が示す操作手側に表示するよう処理することを特徴とする操作処理装置。
【請求項４】
請求項１〜３のいずれか一項に記載の操作処理装置であって、
前記タッチパネルに対する有効な操作に対応するアプリケーションが登録されていなければ、アプリケーションの起動を受け付け、当該受け付けたアプリケーションを起動するよう前記アプリ起動部に指示する手動操作アプリ起動指示部と、
前記手動操作アプリ起動指示部によるアプリケーションの起動指示を監視して、当該監視から得られた統計情報である起動アプリ情報を前記手動操作アプリ起動指示部に出力するアプリ起動管理部と、を備え、
前記手動操作アプリ起動指示部は、前記端末のロック状態が解除された後、前記起動アプリ情報が示すアプリケーションを起動するか否かの判断を促す画面を前記ディスプレイに表示する処理を行うことを特徴とする操作処理装置。
【請求項５】
請求項４に記載の操作処理装置であって、
前記起動アプリ情報は、一定期間の間若しくは総起動回数の内で最も多く起動されたアプリを示す情報、又は、一定期間の間若しくは総起動回数の内で起動されたアプリとその起動回数を示す情報であることを特徴とする操作処理装置。
【請求項６】
請求項５に記載の操作処理装置であって、
前記一定期間の間又は総起動回数の内で起動されたアプリとその起動回数は、起動回数が多い順、５０音順又はアルファベット順に示されることを特徴とする操作処理装置。
【発明の詳細な説明】
【技術分野】
【０００１】
本発明は、タッチパネルに対する操作に応じた処理を行う操作処理装置に関する。
【背景技術】
【０００２】
特許文献１に開示された携帯電話機等の端末機器は、タッチパネルを操作することにより、一台で複数台分の機能を使い分けることができる。図１５は、特許文献１に開示された携帯電話機１の要部の電気的構成を示すブロック図である。図１５に示すように、携帯電話機１では、暗証コード毎に各動作モードが対応付けられて記憶部２１に登録され、また、同暗証コード毎に軌跡情報ｔｃが対応付けられて登録される。そして、軌跡情報生成部２２で生成された軌跡情報ｔｂと登録されている各軌跡情報ｔｃとの一致／不一致が判定され、軌跡情報ｔｂが各軌跡情報ｔｃのいずれか一つと一致するとき、一致した軌跡情報ｔｃに対応した暗証コードに対応する動作モードが選択されて設定され、一台で複数台分の機能を使い分けることが可能な携帯電話機１が実現する。
【先行技術文献】
【特許文献】
【０００３】
【特許文献１】特開２０１０−０１０８４５号公報
【発明の概要】
【発明が解決しようとする課題】
【０００４】
図１６は、ユーザの操作による携帯端末の画面の遷移の一例を示す図である。なお、携帯端末のディスプレイ上にはタッチパネルが重ねて配置されている。携帯端末が誤操作等を防止するための画面ロック状態であるとき、（画面Ａ）に示すように、ユーザがタッチパネル上の所定の領域３１内で左から右にスライドすると、画面ロック状態が解除される。次に、（画面Ｂ）に示すように、携帯端末にインストールされたアプリケーション（以下、単に「アプリ」という）に対応する各アイコンが表示されるアイコンページをユーザがスライドして、起動したいアプリのアイコンを含むアイコンページを表示させる。次に、ユーザが、（画面Ｃ）に示すように、所望のアプリのアイコンをタップすると、（画面Ｄ）に示すように、所望のアプリが起動する。
【０００５】
このように、上記説明した携帯端末では、画面ロック状態の解除から所望のアプリを起動するまでには、ユーザが少なくとも３つの操作を行う必要がある。また、ユーザは、アイコンページに表示されたアイコンの中から起動したいアプリのアイコンを探さなければならない。このため、当該携帯端末のユーザインタフェースにおける操作の手間の軽減といった点では改善の余地がある。
【０００６】
本発明の目的は、画面ロック状態の解除から所望のアプリを起動するまでの操作の手間を軽減可能な操作処理装置を提供することである。
【課題を解決するための手段】
【０００７】
本発明は、ディスプレイにタッチパネルが重ねて配置された端末に設けられた操作処理装置であって、前記端末がロック状態であるとき、前記ロック状態を解除するための前記タッチパネルに対する有効な操作を判別する操作判別部と、前記操作判別部が判別した前記タッチパネルに対する有効な操作の操作情報に基づいて、当該操作に対応するアプリケーションの登録の有無を判断する動作判断部と、前記タッチパネルに対する有効な操作に対応するアプリケーションが登録されていれば、当該登録されているアプリケーションを起動するよう指示する登録アプリ起動指示部と、前記登録アプリ起動指示部から指示されたアプリケーションを起動するアプリ起動部と、を備えた操作処理装置を提供する。
【０００８】
上記操作処理装置は、前記操作判別部が判別した前記タッチパネルに対する有効な操作の操作情報と、当該操作が行われる際の操作体と前記タッチパネルの接触面積を示す時系列の接触情報と、に基づいて、前記タッチパネルに対して行われた操作が右手で行われたか左手で行われたかを判定する操作手判定部を備える。
【０００９】
上記操作処理装置では、前記アプリ起動部は、前記ディスプレイに表示する前記アプリケーションの入力インタフェースを、前記操作手判定部による判定結果が示す操作手側に表示するよう処理する。
【００１０】
上記操作処理装置は、前記タッチパネルに対する有効な操作に対応するアプリケーションが登録されていなければ、アプリケーションの起動を受け付け、当該受け付けたアプリケーションを起動するよう前記アプリ起動部に指示する手動操作アプリ起動指示部と、前記手動操作アプリ起動指示部によるアプリケーションの起動指示を監視して、当該監視から得られた統計情報である起動アプリ情報を前記手動操作アプリ起動指示部に出力するアプリ起動管理部と、を備え、前記手動操作アプリ起動指示部は、前記端末のロック状態が解除された後、前記起動アプリ情報が示すアプリケーションを起動するか否かの判断を促す画面を前記ディスプレイに表示する処理を行う。
【００１１】
上記操作処理装置では、前記起動アプリ情報は、一定期間の間若しくは総起動回数の内で最も多く起動されたアプリを示す情報、又は、一定期間の間若しくは総起動回数の内で起動されたアプリとその起動回数を示す情報である。
【００１２】
上記操作処理装置では、前記一定期間の間又は総起動回数の内で起動されたアプリとその起動回数は、起動回数が多い順、５０音順又はアルファベット順に示される。
【発明の効果】
【００１３】
本発明に係る操作処理装置によれば、画面ロック状態の解除から所望のアプリを起動するまでの操作の手間を軽減できる。
【図面の簡単な説明】
【００１４】
【図１】第１の実施形態の操作処理装置の構成を示すブロック図
【図２】第１の実施形態における内部テーブルのデータ構成の一例を示す図
【図３】第１の実施形態の操作処理装置の動作を示すフローチャート
【図４】第１の実施形態において画面ロック状態の解除から所望のアプリを起動するまでの携帯端末の画面の遷移の一例を示す図
【図５】第２の実施形態の操作処理装置の構成を示すブロック図
【図６】携帯端末が右手で保持されているとき、右手の親指でタッチパネルに対するＸ軸正方向のスライド操作が行われたときの接触面積の変化を示す図
【図７】携帯端末が左手で保持されているとき、左手の親指でタッチパネルに対するＸ軸正方向のスライド操作が行われたときの接触面積の変化を示す図
【図８】携帯端末が右手で保持されているとき、右手の親指でタッチパネルに対するＸ軸負方向のスライド操作が行われたときの接触面積の変化を示す図
【図９】携帯端末が左手で保持されているとき、左手の親指でタッチパネルに対するＸ軸負方向のスライド操作が行われたときの接触面積の変化を示す図
【図１０】（ａ）及び（ｂ）は、起動アプリの入力インタフェースが表示される例を示す図
【図１１】第３の実施形態の操作処理装置の構成を示すブロック図
【図１２】（ａ）は、起動アプリ情報が一定期間の間又は総起動回数の内で最も多く起動されたアプリがブラウザであることを示す際の、画面ロック状態の解除からアプリの起動までの画面の遷移の一例を示す図であり、（ｂ）は、起動アプリ情報が一定期間の間又は総起動回数の内で起動されたアプリとその起動回数を起動回数が多い順に示す際の、画面ロック状態の解除からアプリの起動までの画面の遷移の一例を示す図
【図１３】（ａ）〜（ｃ）は、折り畳み可能な２つの筐体の各々にディスプレイとタッチパネルが設けられた携帯端末の画面ロック状態を解除するときの操作例を示す図
【図１４】図１３に示した携帯端末における内部テーブルのデータ構成の一例を示す図
【図１５】特許文献１に開示された携帯電話機１の要部の電気的構成を示すブロック図
【図１６】ユーザの操作による携帯端末の画面の遷移の一例を示す図
【発明を実施するための形態】
【００１５】
以下、本発明の実施形態について、図面を参照して説明する。以下説明する本発明に係る各実施形態の操作処理装置は、ディスプレイにタッチパネルが重ねて配置された携帯端末（図示せず）に設けられる。携帯端末のユーザは、タッチパネルを指又はスタイラスペン等でスライド、タップ、長押し等することで、当該携帯端末を操作する。操作処理装置は、携帯端末が誤操作等を防止するための画面ロック状態であるとき、ユーザがタッチパネルに対して所定の操作を行った際に動作する。
【００１６】
（第１の実施形態）
図１は、第１の実施形態の操作処理装置の構成を示すブロック図である。図１に示すように、第１の実施形態の操作処理装置１００は、操作判別部１０１と、ロック解除処理部１０３と、動作判断部１０５と、メモリ１０７と、登録アプリ起動指示部１０９と、手動操作アプリ起動指示部１１１と、アプリ起動部１１３とを備える。
【００１７】
以下、操作処理装置１００の各構成要素について説明する。
【００１８】
操作判別部１０１は、携帯端末のタッチパネルに対する有効な操作を判別し、有効な操作の操作情報をロック解除処理部１０３に出力する。上述したように、タッチパネルに対する操作には、スライド操作、タップ操作又は長押し操作等がある。タッチパネルに対してスライド操作が行われた際、操作判別部１０１は、当該スライド操作のスライド方向又は軌跡、スライド長及び操作時間をそれぞれ判別する。なお、操作判別部１０１は、所定範囲内のスライド長と判別され、かつ、所定範囲の時間内の操作時間と判別されたスライド操作に限り、有効なスライド操作と判断して、その操作情報をロック解除処理部１０３に出力する。スライド操作の操作情報には、スライド方向又は軌跡、スライド長及び操作時間が含まれる。
【００１９】
タッチパネルに対してタップ操作が行われた際、操作判別部１０１は、タップされた位置及びタップ回数をそれぞれ判別する。なお、タップ操作が複数回行われた際、操作判別部１０１は、所定範囲の時間内に行われたタップ操作に限り、有効なタップ操作と判断して、その操作情報をロック解除処理部１０３に出力する。タップ操作の操作情報には、タップ位置及びタップ回数が含まれる。
【００２０】
タッチパネルに対して長押し操作が行われた際、操作判別部１０１は、長押しされた位置及び長押し時間をそれぞれ判別する。なお、操作判別部１０１は、所定範囲の時間内の長押しの長押し操作に限り、有効な長押し操作と判断して、その操作情報をロック解除処理部１０３に出力する。長押し操作の操作情報には、長押しされた位置及び長押し時間が含まれる。
【００２１】
ロック解除処理部１０３は、携帯端末が画面ロック状態のとき、操作判別部１０１から入力された操作情報に応じて、携帯端末の画面ロック状態を解除する。動作判断部１０５は、ロック解除処理部１０３が携帯端末の画面ロック状態を解除すると、操作判別部１０１から出力された操作情報に基づいて、次の動作を判断する。このとき、動作判断部１０５は、メモリ１０７に格納されている内部テーブルを参照する。
【００２２】
図２は、第１の実施形態における内部テーブルのデータ構成の一例を示す図である。図２に示すように、内部テーブルには、操作情報と各操作情報に対応する起動アプリとが示される。内部テーブルに示される起動アプリは、画面ロック状態の携帯端末のタッチパネルに対して、当該アプリに対応する操作情報の操作が行われたとき、画面ロック状態の解除に続いて起動するアプリケーションである。なお、図２に示した操作情報の例以外にも、タッチパネルをＸＹ座標で表したときのスライド軌跡、タップ位置又は長押し位置を示す座標値で操作情報が示されていても良い。また、スライド軌跡は、直線に限らず、円弧状又は波状であっても良い。
【００２３】
動作判断部１０５は、操作判別部１０１から出力された操作情報に対応する起動アプリが内部テーブルに登録されていれば、登録アプリ起動指示部１０９に動作指示を送る。当該動作指示には、操作情報に対応する起動アプリを示す情報が含まれる。一方、操作判別部１０１から出力された操作情報に対応する起動アプリが内部テーブルに登録されていなければ、動作判断部１０５は、手動操作アプリ起動指示部１１１に動作指示を送る。
【００２４】
登録アプリ起動指示部１０９は、動作判断部１０５からの動作指示に応じて、当該動作指示に含まれる情報が示す起動アプリを起動するようアプリ起動部１１３に指示する。手動操作アプリ起動指示部１１１は、動作判断部１０５からの動作指示に応じて、携帯端末のディスプレイに待ち受け画面又は画面ロック状態直前の画面を表示する処理を行う。また、手動操作アプリ起動指示部１１１は、携帯端末のユーザによるアプリの起動を受け付け、当該受け付けたアプリを起動するようアプリ起動部１１３に指示する。アプリ起動部１１３は、登録アプリ起動指示部１０９又は手動操作アプリ起動指示部１１１から指示されたアプリを起動する。
【００２５】
次に、第１の実施形態の操作処理装置１００の動作について、図３を参照して説明する。図３は、第１の実施形態の操作処理装置の動作を示すフローチャートである。
【００２６】
図３に示すように、携帯端末が画面ロック状態のとき、操作処理装置１００の操作判別部１０１は、タッチパネルに対して有効な操作が行われたかを判別し（ステップＳ１０１）、有効な操作が行われた場合はステップＳ１０３に進む。ステップＳ１０３では、ロック解除処理部１０３は、携帯端末の画面ロック状態を解除する。次に、動作判断部１０５は、ステップＳ１０１で有効と判別された操作の操作情報に対応する起動アプリがメモリ１０７の内部テーブルに登録されているか否かを判断する（ステップＳ１０５）。ステップＳ１０５において、操作情報に対応する起動アプリが内部テーブルに登録されていると判断されたときはステップＳ１０７に進み、登録されていないと判断されたときはステップＳ１１１に進む。
【００２７】
ステップＳ１０７では、登録アプリ起動指示部１０９は、操作情報に対応する内部テーブルに登録された起動アプリを起動するようアプリ起動部１１３に指示する。次に、アプリ起動部１１３は、ステップＳ１０７で登録アプリ起動指示部１０９から指示されたアプリを起動する（ステップＳ１０９）。
【００２８】
一方、ステップＳ１１１で、手動操作アプリ起動指示部１１１が携帯端末のユーザによるアプリの起動を受け付けると、ステップＳ１１３に進む。ステップＳ１１３では、手動操作アプリ起動指示部１１１は、受け付けたアプリを起動するようアプリ起動部１１３に指示する。次に、アプリ起動部１１３は、ステップＳ１１３で手動操作アプリ起動指示部１１１から指示されたアプリを起動する（ステップＳ１１５）。
【００２９】
以上説明したように、本実施形態の操作処理装置１００では、携帯端末が画像ロック状態のとき、ユーザがタッチパネルに対して所定の操作を行えば、画像ロック状態が解除されるばかりでなく、当該所定の操作に対応したアプリが起動される。すなわち、図４に示すように、画面ロック状態の解除から所望のアプリを起動するまでの操作数が１つのみである。このため、携帯端末のユーザにとっての操作の手間を軽減できる。また、画面ロック状態を解除する操作だけであるため、ユーザによる操作ミスの発生確率が小さい。さらに、ユーザは、アイコンページの中から起動したいアプリのアイコンを探す必要がない。
【００３０】
なお、メモリ１０７に格納されている内部テーブルの操作情報は、ユーザによって任意に登録、変更、削除ができる。また、操作情報の登録、変更、削除を行うための操作は、テキスト入力でも、実際に操作したスライド操作等の軌跡入力でも良い。
【００３１】
（第２の実施形態）
図５は、第２の実施形態の操作処理装置の構成を示すブロック図である。なお、図５において、図１と共通する構成要素には同じ参照符号が付されている。図５に示すように、第２の実施形態の操作処理装置２００は、第１の実施形態の操作処理装置１００の構成要素に加えて、操作手判定部２５１を備える。また、第２の実施形態の操作判別部２０１は、操作手判定部２５１に後述する接触情報を出力する。これらの点以外は第１の実施形態と略同様である。
【００３２】
操作判別部２０１は、第１の実施形態の操作判別部１０１が有する機能に加えて、タッチパネルに対する操作が行われる際の、ユーザの指とタッチパネルの接触面積を示す時系列の接触情報と操作情報を操作手判定部２５１に出力する。操作手判定部２５１は、操作判別部２０１から得られた時系列の接触情報と操作情報に基づいて、タッチパネルに対して行われた操作が右手で行われたか左手で行われたかを判定する。但し、当該判定は、携帯端末が片手で保持されているときに有効である。
【００３３】
図６は、携帯端末が右手で保持されているとき、右手の親指でタッチパネルに対するＸ軸正方向のスライド操作が行われたときの接触面積の変化を示す図である。図７は、携帯端末が左手で保持されているとき、左手の親指でタッチパネルに対するＸ軸正方向のスライド操作が行われたときの接触面積の変化を示す図である。なお、図６及び図７には、指がタッチパネルに接触する箇所がハッチングで示されている。
【００３４】
図６及び図７に示すＸ軸上で、スライド開始時の接触点がスライド終了時の接触点よりも左側にある場合、操作手判定部２５１は、スライド開始時の接触面積Ｓｓとスライド終了時の接触面積Ｓｅの差（Ｓｓ−Ｓｅ）を算出する。操作手判定部２５１は、当該差の値をしきい値ｋと比較して、（Ｓｓ−Ｓｅ）＞ｋであれば操作が右手で行われたと判断し、（Ｓｓ−Ｓｅ）＜−ｋであれば操作が左手で行われたと判断する。また、操作手判定部２５１は、−ｋ≦（Ｓｓ−Ｓｅ）≦ｋであれば、操作手が右手とも左手とも特定できないと判断する。なお、しきい値ｋは、予め設定された正の値である。
【００３５】
図８は、携帯端末が右手で保持されているとき、右手の親指でタッチパネルに対するＸ軸負方向のスライド操作が行われたときの接触面積の変化を示す図である。図９は、携帯端末が左手で保持されているとき、左手の親指でタッチパネルに対するＸ軸負方向のスライド操作が行われたときの接触面積の変化を示す図である。なお、図８及び図９には、指がタッチパネルに接触する箇所がハッチングで示されている。
【００３６】
図８及び図９に示すＸ軸上で、スライド開始時の接触点がスライド終了時の接触点よりも右側にある場合、操作手判定部２５１は、スライド開始時の接触面積Ｓｓとスライド終了時の接触面積Ｓｅの差（Ｓｓ−Ｓｅ）を算出する。操作手判定部２５１は、当該差の値をしきい値ｋと比較して、（Ｓｓ−Ｓｅ）＜−ｋであれば操作が右手で行われたと判断し、（Ｓｓ−Ｓｅ）＞ｋであれば操作が左手で行われたと判断する。また、操作手判定部２５１は、−ｋ≦（Ｓｓ−Ｓｅ）≦ｋであれば、操作手が右手とも左手とも特定できないと判断する。なお、しきい値ｋは、予め設定された正の値である。
【００３７】
したがって、操作手判定部２５１は、タッチパネルに対するスライド操作が左右のどちらの手で行われたかを判別できる。操作手判定部２５１は、左手、右手、又は左右のどちらの手も特定できないことを示す操作手情報を動作判断部１０５に出力する。なお、操作手を判断可能なスライド操作は横方向の操作に限らず、円弧状のスライド操作であっても良い。すなわち、タッチパネルに対するスライド操作の軌跡が、図６〜図９に示したＸＹ軸座標上において、少なくともＸ軸上の変化を含むものであれば良い。
【００３８】
本実施形態では、登録アプリ起動指示部１０９又は手動操作アプリ起動指示部１１１がアプリ起動部１１３に対して行うアプリ起動指示に、操作手判定部２５１が出力した操作手情報が含まれる。アプリ起動部１１３は、指示されたアプリを起動する際、ディスプレイに表示する入力インタフェースを操作手側に寄せて配置しても良い。例えば、アプリ起動部１１３がメールを起動するとき、操作手情報が左右を示さなければ、図１０（ａ）に示すように、文字を入力するためのボタンである入力インタフェース２５がディスプレイの下中央部に表示される。一方、操作手情報が右手を示す場合は、図１０（ｂ）に示すように、入力インタフェース２５を縮小した入力インタフェース２６が右側に寄せてディスプレイに表示される。なお、入力インタフェース２５，２６は、ボタンに限らず、リスト又はスクロールバー等であっても良い。
【００３９】
以上説明したように、本実施形態の操作処理装置２００によれば、携帯端末を保持する手の指でタッチパネルに対するスライド操作が行われたとき、当該スライド操作が右手で行われたか左手で行われたかが判定され得る。このとき、タッチパネルに対するスライド操作は親指で行われるが、親指での操作では、タッチパネル上の操作手とＸ軸上で反対側の部分の接触が困難である。しかし、本実施形態によれば、登録アプリ起動指示部１０９又は手動操作アプリ起動指示部１１１からの指示に応じて起動されるアプリの入力インタフェースは、ディスプレイ内の操作手側に表示される。したがって、画像ロック状態を解除した際に起動されるアプリの入力インタフェースの利用が容易となる。また、第１の実施形態のように操作手情報を含まないアプリ起動指示に応じてアプリケーションを起動した場合と比較して、起動後のメニュー設定又は入力インタフェースの移動操作等をユーザが行う必要がない。
【００４０】
なお、メモリ１０７には、デフォルトの操作手情報をユーザが登録できる。また、動作判断部１０５は、操作手が特定されないとき、メモリ１０７に登録された操作手情報を使用できる。
【００４１】
（第３の実施形態）
図１１は、第３の実施形態の操作処理装置の構成を示すブロック図である。なお、図１１において、図１と共通する構成要素には同じ参照符号が付されている。図１１に示すように、第３の実施形態の操作処理装置３００は、第１の実施形態の操作処理装置１００の構成要素に加えて、アプリ起動管理部３５１を備える。また、第３の実施形態の手動操作アプリ起動指示部３１１は、アプリ起動管理部３５１から得られた情報に基づいて、画面ロック状態が解除された直後に所定のアプリを起動するか否かの判断をユーザに促す。これらの点以外は第１の実施形態と略同様である。
【００４２】
アプリ起動管理部３５１は、手動操作アプリ起動指示部３１１によるアプリの起動指示を監視する。アプリ起動管理部３５１は、当該監視によって得られた情報に基づく情報である起動アプリ情報を手動操作アプリ起動指示部３１１に出力する。起動アプリ情報は、一定期間の間に最も多く起動されたアプリを示す情報、又は、総起動回数の内で最も多く起動されたアプリを示す情報である。また、起動アプリ情報は、一定期間の間に起動されたアプリとその起動回数を起動回数が多い順に示す情報、又は、総起動回数の内で起動されたアプリとその起動回数を起動回数が多い順に示す情報であっても良い。また、起動アプリ情報は、一定期間の間に起動されたアプリとその起動回数を５０音順に示す情報、又は、総起動回数の内で起動されたアプリとその起動回数を５０音順に示す情報であっても良い。さらに、起動アプリ情報は、一定期間の間に起動されたアプリとその起動回数をアルファベット順に示す情報、又は、総起動回数の内で起動されたアプリとその起動回数をアルファベット順に示す情報であっても良い。なお、ユーザは、起動アプリ情報を任意にクリアでき、期間等の履歴の設定も変更可能である。
【００４３】
手動操作アプリ起動指示部３１１は、第１の実施形態の手動操作アプリ起動指示部１１１が有する機能に加えて、アプリ起動管理部３５１から得られた起動アプリ情報が示すアプリを起動するか否かの判断をユーザに促す画面をディスプレイに表示する処理を行う。図１２（ａ）は、起動アプリ情報が一定期間の間又は総起動回数の内で最も多く起動されたアプリがブラウザであることを示す際の、画面ロック状態の解除からアプリの起動までの画面の遷移の一例を示す図である。図１２（ｂ）は、起動アプリ情報が一定期間の間又は総起動回数の内で起動されたアプリとその起動回数を起動回数が多い順に示す際の、画面ロック状態の解除からアプリの起動までの画面の遷移の一例を示す図である。図１２（ａ），（ｂ）に示した例では、起動アプリ情報が示すアプリを起動するか否かの判断をユーザに促す画面が中段に示されている。
【００４４】
なお、手動操作アプリ起動指示部３１１は、ロック解除処理部１０３が携帯端末の画面ロック状態を解除した直後に、図１２（ａ），（ｂ）の中段に示す画面の表示処理を行うか否かを、設定に基づいて判断しても良い。
【００４５】
以上説明したように、本実施形態の操作処理装置３００によれば、メモリ１０７の内部テーブルに登録されていない操作によって携帯端末の画面ロック状態が解除された場合でも、ユーザが所望しているであろう起動可能なアプリ情報をディスプレイに表示させ、ユーザにアプリの選択および起動指示をさせることができる。したがって、図１６に示した操作手順により所望のアプリを起動する場合と比較して、画面ロック状態の解除から所望のアプリを起動するまでの操作数を減らすことができる。
【００４６】
なお、本実施形態の操作処理装置３００は、第１の実施形態の操作処理装置１００にアプリ起動管理部３５１を追加した構成であるが、第２の実施形態の操作処理装置２００にアプリ起動管理部３５１を追加した構成であっても良い。
【００４７】
上記説明した第１〜第３の実施形態で説明した携帯端末は、図１３（ａ）〜（ｃ）に示すように、折り畳み可能な２つの筐体の各々にディスプレイとタッチパネルが設けられた構成であっても良い。この場合、メモリ１０７が有する内部テーブルには、図１４に示すように、タッチパネルの数と同数の操作情報が示され、これらの操作情報に対応する起動アプリとが示される。なお、各タッチパネルがＸＹ座標で表されるとき、当該ＸＹ座標は、タッチパネル毎に独立した座標であっても、複数のタッチパネルを連結して表す１つの座標であっても良い。
【産業上の利用可能性】
【００４８】
本発明に係る操作処理装置は、画面ロック状態の解除から所望のアプリを起動するまでの操作の手間が軽減されたユーザインタフェースを有する操作処理装置等として有用である。
【符号の説明】
【００４９】
１００，２００，３００  操作処理装置
１０１，２０１  操作判別部
１０３  ロック解除処理部
１０５  動作判断部
１０７  メモリ
１０９  登録アプリ起動指示部
１１１，３１１  手動操作アプリ起動指示部
１１３  アプリ起動部
２５１  操作手判定部
３５１  アプリ起動管理部
２５，２６  入力インタフェース
３１  タッチパネル上の所定の領域
【図１】
2013232118.tif 000003
【図２】
2013232118.tif 000004
【図３】
2013232118.tif 000005
【図４】
2013232118.tif 000006
【図５】
2013232118.tif 000007
【図６】
2013232118.tif 000008
【図７】
2013232118.tif 000009
【図８】
2013232118.tif 000010
【図９】
2013232118.tif 000011
【図１０】
2013232118.tif 000012
【図１１】
2013232118.tif 000013
【図１２】
2013232118.tif 000014
【図１３】
2013232118.tif 000015
【図１４】
2013232118.tif 000016
【図１５】
2013232118.tif 000017
【図１６】
2013232118.tif 000018